(57)【特許請求の範囲】
【請求項１】
縦断面略エ字状となす金属材又は樹脂材からなる短寸状の筒体（１）  の外周壁（１´）又は内周壁（１”）の両側端縁部に、内方又は外方に向いた係止部（２）  を形成せしめて軸芯方向に配列した該筒体の複数個をもってそれぞれの該係止部の内部に、端部に弾性カール部（４、４´）  を形成した短寸状のリング（３）  の一方のカール部（４）  を、また他方のカール部（４´）を隣接する別体の筒体（１）  の他方の係止部（２）  にそれぞれ弾圧状に係着せしめて、前記筒体（１）  とリング（３）  とを順次交互に連設して構成したことを特徴とするフレキシブル管。
【請求項２】
前記筒体（１）  の内周壁（１”）又は外周壁（１´）の両側端縁部に前記係止部（２）  と同じ方向に向いた弯曲部（２ａ）を更に設けたことを特徴とする請求項１記載のフレキシブル管。
【請求項３】
前記リング（３）  のカール部（４、４´）  は断面略吊り輪状に形成されていることを特徴とする請求項１記載のフレキシブル管。
【請求項４】
前記カール部（４、４´）  の内部に環状コイル・スプリング部材（５）  を内装してなることを特徴とする請求項１乃至３のいずれか１項記載のフレキシブル管。
【請求項５】
前記筒体（１）  及びリング（３）  をその幅及び外径の少なくとも一方を異にして階段状又は傾斜状となして連設したことを特徴とする請求項１乃至４のいずれか１項記載のフレキシブル管。
【請求項６】
前記筒体（１）  を縦断面略コ字状の背合せにより固定（８）  して一体に形成したことを特徴とする請求項１乃至５のいずれか１項記載のフレキシブル管。
【請求項７】
前記リング（３）  の長手方向の略中間部に環状の山形突出部（６）  を形成したことを特徴とする請求項１乃至６のいずれか１項記載のフレキシブル管。
【請求項８】
前記筒体（１）  又はリング（３）  の最外側端部に接続用の直管筒壁（７）  を一体に有して構成したことを特徴とする請求項１乃至７のいずれか１項記載のフレキシブル管。
【発明の詳細な説明】
【０００１】
【産業上の利用分野】
本発明は一般に各種の機械、設備装置或いは車輌、器具等の産業分野において、配管もしくは継手等として幅広く使用される可撓機能を有するフレキシブル管に関するものである。
【０００２】
【従来の技術】
従来、この種のフレキシブル管としては例えば図１３に示すように、単に金属帯材により幅手中央部を傾斜壁（１２）となしてその両側の端縁部を相反する方向にそれぞれ折り曲げて鉤状の掛合部（１１´）（１１”）を形成せしめて螺旋状に巻回した本体（１１）の該掛合部を、隣接する本体掛合部と相互に挾着、掛合して連設、構成されていた。
【０００３】
【発明が解決しようとする課題】
しかしながら、このような従来の技術においては、螺旋状からなる一定方向への巻回構造によるため、管の捩れ方向及び管軸方向の自由度が全くなく、また掛合部（１１´）（１１”）での相互のなす挾着、掛合構造による単に鉤状のなす摩擦に伴う相対可動によって、挾着、掛合部に気密性の劣化を招き易く、しばしば不具合を生ぜしめる等、使用上の制約を余儀なくされることとなり、また曲げ或いは伸縮等に対して概して可撓性に乏ぼしい傾向にあり、更に接続をなす両側端部での直管部を一体に形成し得ない等の問題を有するものであった。
【０００４】
本発明は従来技術の有する前記問題に鑑みてなされたものであり、複数個の筒体の係止部とリングの弾性カール部での順次交互に連設して構成せしめることにより、リングでの相対的な回動変位機能によって管の捩れ方向への自由度を自在となしてその配設を容易となす曲げ形状により取付けを簡易となし、また弾性カール部での弾発性によって連設部の気密性を高め、更に所望に応じてその幅或いは／及び外径の異なる筒体とリングとを使用することにより、部分的に管の弾性率を変化させて耐久性を高め、特に筒体を傾斜状に形成していないものにあっては軸方向へ伸縮可能であり、併せ異なる材質の使用により部分的に固有振動数をも変化させて耐振性を向上して用途に応じた製品を得るようにし、更に径の相違する左右の相手配管或いは部品との接続を可能となし、同時に最外側端部での接続用の直管筒壁を一体に形成することのできるようにしたフレキシブル管を提供することを目的とするものである。
【０００５】
【課題を解決するための手段】
本発明は、上記目的を達成するために、縦断面略エ字状となす金属材又は樹脂材からなる短寸状の筒体の外周壁又は内周壁の両側端縁部に、内方又は外方に向いた係止部を形成せしめて軸芯方向に配列した該筒体の複数個をもってそれぞれの該係止部の内部に、端部に弾性カール部を形成した短寸状のリングの一方のカール部を、また他方のカール部を隣接する別体の筒体の他方の係止部にそれぞれ弾圧状に係着せしめて、前記筒体とリングとを順次交互に連設して構成したフレキシブル管を要旨とするものであって、さらに前記筒体の内周壁又は外周壁の両側端縁部に前記係止部と同じ方向に向いた弯曲部を更に設けるか、或いは前記リングのカール部を断面略吊り輪状に形成し、また前記カール部の内部に環状コイル・スプリング部材を内装してたり、前記筒体及びリングをその幅及び外径の少なくとも一方を異にして階段状又は傾斜状となして連設したり、前記筒体を縦断面略コ字状の背合せにより固定して一体に形成したり、前記リングの長手方向の略中間部に環状の山形突出部を形成したり、もしくは前記筒体又はリングの最外側端部に接続用の直管筒壁を一体に有して構成したものである。
【０００６】
【作用】
本発明はこのように構成されているため、前記筒体側のなす両側端縁部での係止部に順次交互に連設されるリング側の弾性カールとのなす弾圧状の係着により、リングでの少なくとも相対的な回動変位機能、好ましくは相対的な回動変位機能に加えて軸方向変位機能及び曲がりや偏心等の弯曲機能によって管の捩り方向、軸方向或いは曲げ方向への自由度を自在となして、その配設を容易となす形状全体の調整により配設時の取付けを簡易となすことができ、また弾性カール部での弾発性によって連設部の気密性を高め、更に所望に応じたその幅或いは／及び外径の異なる筒体とリング体との使用により管の弾性率を部分的に変化させて耐久性を高め、併せ異なる材質の使用により部分的に固有振動数をも変化させて耐振性を向上して用途に応じた製品を得ることができ、更に径の相違する左右の相手配管或いは部品との接続を可能となし、同時に最外側端部での接続用の直管筒壁を筒体或いはリング自体をもって一体に形成することができることとなる。
【０００７】
【実施例】
以下、本発明の実施例を図面に基づいて説明すれば、図１は本発明のフレキシブル管の一部切欠きによる平面図、図２乃至図９はそれぞれ他の実施例に係る図１相当図、図１０は他の実施例の部分拡大断面図、図１１及び図１２は更に別の実施例の図１相当図であって（１）  は金属材又は樹脂材による短寸状からなる複数個の筒体であって、縦断面エ字状になるよう一体に形成されるか、或いは縦断面コ字状のものを背合せしてろう着、又は接着等による固定（８）  して形成されるものであり、その外周壁（１´）又は内周壁（１”）の両側端縁部に内方又は外方に向いた係止部（２）  が形成されている。
【０００８】
一方短寸状のリング（３）  はその両端部に弾性カール部（４）  、（４´）を有するもので、該一方のカール部（４）  を前記筒体（１）  の一方の係止部（２）  の内部に、また他方のカール部（４´）を隣接する別体の筒体（１）  の他方のカール部（２）  の内部にそれぞれ弾圧状に係着せしめ前記筒体（１）  とリング（３）  とを順次交互に連設してフレキシブル管を構成する。換言すると、弾性カール部（４）  、（４´）は筒体（１）  の外周壁（１´）と内周壁（１”）とに弾圧状に係合しているが該外周壁と内周壁の間で回動変位と軸方向変位可能なように内装される。なお、カール部（４）  、（４´）の内部に図１、図４及び図５のように環状コイル・スプリング部材（５）  を内装してカール部の弾性を高めシール性を向上することもできる。そして（７）  は接続用の直管筒壁であって、前記筒体（１）  もしくはリング（３）  の最外側端部に一体に形成されたものである。
【０００９】
また前記筒体（１）  とリング（３）  は同径状であるがその材質を異にして構成したり、或いは図８及び図９のようにそれらの幅或いは／及び外径を階段状や傾斜状に構成すると、固有振動数の相違により振動防止機能が発揮される。
【００１０】
更に図１０（ａ）  に拡大して示すように前記筒体（１）  の内周壁（１”）又は外周壁（１´）の両側端縁部に前記係止部（２）  と同じ方向に向いた弯曲部（２ａ）を更に設けたり、図１０（ｂ）  に拡大して示すように前記リング（３）  のカール部（４）  、（４´）の最外端と最内端の位置がリング（３）  の周壁より外方及び内方となるよう断面略吊り輪状に形成したり、また図３及び図７のようにリング（３）  の長手方向の略中間部に環状の山形突出部（６）  を設けることにより曲げや偏心等の弯曲機能の自由度を増すことができる。
【００１１】
なお、軸方向変位機能や弯曲機能は上記実施例に比べやや劣るものの、回動変位機能のみを発揮すれば充分である部分においては図１１のように筒体（１）  とリング（３）  によるフレキシブル管全体がラッパ状になるよう一方向に拡径するテーパ壁に形成したり、或いは図１２のように筒体（１）  の周壁を略山形に突出させるか或いは略谷形に凹ませたりして波形状に構成することもできる。
【００１２】
【発明の効果】
以上説明したように本発明によるフレキシブル管は、前記複数個の筒体（１）  のなす両側端縁部での係止部（２）  と順次交互して連設する弾性カール（４）（４´）  を有するリング（３）  の該カール部とのなす弾圧状の係着により構成するため、リング（３）  での少なくとも相対的な回動変位機能、好ましくは相対的な回動変位機能に加えて、軸方向変位機能及び弯曲機能によって管の捩れ方向、軸方向或いは曲げ方向への自由度を自在となして容易な形状全体の調整によりその配設時の取付けを簡易となすこととなり、また弾性カール（４）（４´）  での弾発性によって連設部での気密性を高め、更に所望に応じてその幅或いは／及び外径の異なる筒体（１）  とリング（３）  との使用により、部分的に弾性率を変化させて耐久性を高め、併せ異なる材質の使用により部分的に固有振動数をも変化させて耐振性を向上して用途に応じた製品を得ることができ、更に径の相違する左右の相手配管或いは部品への接続を可能となし、同時に最外側端部での接続用の直管筒壁（７）  を筒体（１）  或いはリング（３）  自体をもって一体に形成することができる等、極めて有用なフレキシブル管である。
【図面の簡単な説明】
【図１】本発明の一実施例に係るフレキシブル管の一部切欠きによる平面図である。
【図２】他の実施例による図１相当図である。
【図３】更に他の実施例による図１相当図である。
【図４】更に他の実施例による図１相当図である。
【図５】更に他の実施例による図１相当図である。
【図６】更に他の実施例による図１相当図である。
【図７】更に他の実施例による図１相当図である。
【図８】更に他の実施例による図１相当図である。
【図９】更に他の実施例による図１相当図である。
【図１０】更に他の実施例を示す図で、（ａ）  及び（ｂ）  はそれぞれ部分拡大断面図である。
【図１１】更に別の実施例による図１相当図である。
【図１２】更に別の実施例による図１相当図である。
【図１３】従来例を示すフレキシブル管の一部切欠き平面図である。
【符号の説明】
１  筒体
１′  外周壁
１″  内周壁
２  係止部
２ａ  弯曲部
３  リング
４、４′  弾性カール
５  コイル・スプリング部材
６  波面
７  直管筒壁
８  固定
【図１】
0003573360.tif 000002
【図２】
0003573360.tif 000003
【図３】
0003573360.tif 000004
【図４】
0003573360.tif 000005
【図５】
0003573360.tif 000006
【図６】
0003573360.tif 000007
【図７】
0003573360.tif 000008
【図８】
0003573360.tif 000009
【図９】
0003573360.tif 000010
【図１０】
0003573360.tif 000011
【図１１】
0003573360.tif 000012
【図１２】
0003573360.tif 000013
【図１３】
0003573360.tif 000014